(57)【要約】      （修正有）【課題】配線による結束部分の増加や配線の煩雑化の抑制。【解決手段】任意の長さとなるように伸縮し、懸架した照明器具２の高さを調整できる機能を有する照明器具用懸架装置１に、電力線Ｂと照明器具２にわたり配線された電源線３を備え、電力線Ｂから電源線３を経て電力が供給されると共に、ＤＭＸ制御信号に基づいて照明器具２を調光制御する調光電源回路を備えた照明器具２が懸架された照明装置Ａにおいて、電源線３に、電力線搬送通信を用いて電力線Ｂ及び電源線３に重畳されたＤＭＸ制御信号を受信する電力線搬送通信変換器４が接続され、電力線搬送通信変換器４は、照明器具用懸架装置１に配置され、照明器具２に対し、ＤＭＸ制御信号を受信して照明器具２に送信するように接続した。【選択図】図１
2014229411.tif 000002
【特許請求の範囲】
【請求項１】
任意の長さとなるように伸縮し、懸架した照明器具の高さを調整できる機能を有する照明器具用懸架装置に、電力線と前記照明器具にわたり配線された電源線を備え、前記電力線から前記電源線を経て電力が供給されると共に、ＤＭＸ制御信号に基づいて前記照明器具調光制御する調光電源回路を備えた前記照明器具が懸架された照明装置において、
前記電源線に、電力線搬送通信を用いて前記電力線及び前記電源線に重畳された前記ＤＭＸ制御信号を受信する電力線搬送通信変換器が接続され、
前記電力線搬送通信変換器は、前記照明器具用懸架装置の前記照明器具側又は前記照明器具に配置され、前記照明器具に対し、前記ＤＭＸ制御信号を受信して前記調光電源回路に送信するように接続されていることを特徴とする照明装置。
【発明の詳細な説明】
【技術分野】
【０００１】
本発明は、任意の長さとなるように伸縮し、懸架した照明器具の高さを調整できる機能を有する照明器具用懸架装置にＤＭＸ制御信号によって制御される照明器具を備えた照明装置に関する。
【背景技術】
【０００２】
任意の長さとなるように伸縮し、懸架した照明器具の高さを調整できる機能を有する照明器具用懸架装置に、照明器具に配線された電源線を備え、この照明器具に電力線から電源線を経て電力が供給されるようにした照明装置は、下記特許文献１に記載のように、定荷重バネと、この定荷重バネの巻回部から引き出される引出し部先端を最内側又は最外側の脚に連結した伸縮脚を有し、この伸縮脚を引き伸ばした際に前記定荷重バネの引出し部が引き出されると共に、この定荷重バネの復元力により伸縮脚が収縮するよう形成することで照明器具の高さを調整できるようにしたものが知られている。
【先行技術文献】
【特許文献】
【０００３】
【特許文献１】特開２００２−１７０４２３号公報
【発明の概要】
【発明が解決しようとする課題】
【０００４】
しかしながら、特許文献１の照明器具用懸架装置を用いて、ＤＭＸ制御信号により制御される照明器具を採用する場合、照明器具に電力を供給する電力線や電源線の他に、ＤＭＸ制御信号線を配線する必要があるため、配線数が増えると共に、配線数の増加に応じて結束部分の増加や配線の煩雑化が生じるという問題があった。特に、最近では、照明器具の省エネルギー対策でのＬＥＤ化により、交流電源及び位相角信号制御から直流電源及びＤＭＸ信号制御へと移行が進み、ＤＭＸ信号を用いる照明器具が増加傾向にあるため、配線数の増加、この配線数の増加による結束部分の増加や配線の煩雑化の抑制が大きな課題となっている。
【０００５】
また、電源線及び電力線及びＤＭＸ制御信号線を配線することを考慮した照明装置の設計を行う場合、照明装置の構造の複雑化や大型化が避けられない。
【０００６】
本発明は、このような問題に対処することを課題の一例とするものである。すなわち、ＤＭＸ制御信号により制御される照明器具を備えた照明装置の配線数の増加を抑制し、これによって、配線による結束部分の増加や配線の煩雑化を抑制できることが本発明の目的である。
【課題を解決するための手段】
【０００７】
このような目的を達成するために、本発明による照明装置は、以下の構成を少なくとも具備するものである。
【０００８】
任意の長さとなるように伸縮し、懸架した照明器具の高さを調整できる機能を有する照明器具用懸架装置に、電力線と前記照明器具にわたり配線された電源線を備え、前記電力線から前記電源線を経て電力が供給されると共に、ＤＭＸ制御信号に基づいて前記照明器具を調光制御する調光電源回路を備えた前記照明器具が懸架された照明装置において、前記電源線に、電力線搬送通信を用いて前記電力線及び前記電源線に重畳された前記ＤＭＸ制御信号を受信する電力線搬送通信変換器が接続され、前記電力線搬送通信変換器は、前記照明器具用懸架装置の前記照明器具側又は前記照明器具に配置され、前記照明器具に対し、前記ＤＭＸ制御信号を受信して前記調光電源回路に送信するように接続されていることを特徴とする照明装置である。
【図面の簡単な説明】
【０００９】
【図１】本発明の第１実施形態に係る照明装置の接続構造を示す概略構成図である。
【図２】本発明の第２実施形態に係る照明装置の接続構造を示す概略構成図である。
【発明を実施するための形態】
【００１０】
以下、本発明の第１実施形態に係る照明装置を図１に基づいて説明する。尚、以下で説明する各実施形態は、本発明を限定するものではない。
【００１１】
照明装置Ａは、照明器具用懸架装置１と、照明器具用懸架装置１に懸架された照明器具２と、電力線Ｂと照明器具２とにわたり配線された電源線３と、電源線３に接続され、電力線搬送通信を用いて電力線Ｂを経て電源線３に重畳されたＤＭＸ（ＤＭＸ５１２）信号を受信する電力線搬送通信変換器４とを備えている。
【００１２】
電力線Ｂは、電源１００に接続されている。この電力線Ｂには、ノイズフィルタＢ１及び送電上流側にＤＭＸ制御信号を重畳させる電力線搬送通信変換器Ｃが接続されており、ノイズフィルタＢ１によって侵入するノイズによる悪影響を抑制し、電力線搬送通信変換器Ｃから発信されるＤＭＸ制御信号が、電力線Ｂから電源線３に重畳して電力線搬送通信変換器４方向に送信されるようになっている。
【００１３】
電力線搬送通信変換器Ｃには、ＤＭＸコントローラＣ１がＤＭＸ制御信号線Ｃ２を介して接続されており、このＤＭＸコントローラＣ１から発信されたＤＭＸ制御信号を電力線搬送通信変換器Ｃが受信して電力線Ｂに重畳するようになっている。
【００１４】
照明器具用懸架装置１は、上下方向において任意の長さとなるように伸縮し、懸架した照明器具２の高さを調整できる機能を有するものであればよく、例えば、特開２００２−１７０４２３号公報に記載の構成とする照明器具用懸架装置１を用いることができる。
【００１５】
この照明器具用懸架装置１には、照明器具用懸架装置１の伸縮操作を行うハンドル部１０が備えられており、このハンドル部１０の上部を伸縮する伸縮部１１にしている。また、伸縮部１１の上方には、吊り下げバー（図示せず）に照明器具用懸架装置１を吊り下げるためのフック部１２が設けられている。
【００１６】
照明器具２は、照明器具用懸架装置１に懸架され、このハンドル部１０の伸縮操作による伸縮部１１の伸縮に伴って、その高さの調整が行われるようになっている。この照明器具２には、前述のＤＭＸ制御信号に基づいて調光制御する調光電源回路（図示せず）が備えられており、この調光電源回路による調光制御によって照明器具２の各種調光が行われるようになっている。
【００１７】
電源線３は、上端側を電力線Ｂに配線すると共に、伸縮部１１の外周に螺旋状に巻回し、螺旋状に巻回された部位から下方に向かって延設される電源線３の中途部をハンドル部１０に固定し、更に、電源線３の下端部を照明器具用懸架装置１の下端側（ハンドル部１０よりも下方側）に設けられた接続コネクタ３０に接続されている。
【００１８】
接続コネクタ３０には、照明器具２に接続された電源線２０が接続されており、この電源線２０を介して電源線３の電力を照明器具２に供給するようにされている。
【００１９】
電力線搬送通信変換器４は、照明器具用懸架装置１の接続コネクタ３０付近に配置されており、電源線３に対して、この電源線３に重畳されたＤＭＸ制御信号を受信できるように接続されている。
【００２０】
電力線搬送通信変換器４と照明器具２とにわたり、ＤＭＸ制御信号ケーブル４０が接続されており、このＤＭＸ制御信号ケーブル４０を介して、電力線搬送通信変換器４が受信したＤＭＸ制御信号を前述の調光電源回路に送信するようにされている。
【００２１】
すなわち、照明器具用懸架装置１の伸縮時において、電源線３の螺旋部分が伸縮部１１の伸縮に追従してばねのように伸縮することで、照明器具用懸架装置１の伸縮時における電源線３の絡みや垂れ等を防止することができる。
【００２２】
更に、電源線３の下端をハンドル部１０よりも下方に配置した電力線搬送通信変換器４に接続し、この電力線搬送通信変換器４から照明器具２にわたって電源線２０及びＤＭＸ制御信号ケーブル４０が接続されているので、照明器具用懸架装置１の伸縮時における電源線３、電源線２０、ＤＭＸ制御信号ケーブル４０の弛みや張りの発生を防止することができ、これによって、照明器具用懸架装置１の伸縮時における電源線３、電源線２０、ＤＭＸ制御信号ケーブル４０の接続状態を保持することができる。
【００２３】
以上の照明装置Ａによると、電力線Ｂに電源線３を接続することでＤＭＸ制御信号を照明器具２に送信できる状態とすることができるので、電力線搬送通信を用いて電力線Ｂ及び電源線３にＤＭＸ制御信号を重畳させ、このＤＭＸ制御信号を電源線３から電力線搬送通信変換器４が受信して前述の調光電源回路に送信することができる。
【００２４】
これにより、ＤＭＸ制御信号により制御される照明器具２を備えた照明装置Ａに対して、ＤＭＸ制御信号用の追加配線が不要となるので、その配線数の増加を抑制することができ、これによって、配線の結束部分の増加や配線の煩雑化を抑制できる。
【００２５】
しかも、配線の結束部分の増加や配線の煩雑化を抑制できるので、配線数の増加による配線同士の照明器具用懸架装置１の伸縮時における絡みや垂れ等を防止することができる。
【００２６】
また、照明器具用懸架装置１上の配線数の増加を抑制できるだけではなく、前述のＤＭＸコントローラを設置した場所から照明装置Ａを設置した場所までのＤＭＸ制御信号用の配線設備や、この配線を敷設する大規模な作業を不要にすることができる。
【００２７】
したがって、設置される照明装置Ａが複数であっても、照明装置Ａの設置作業を容易、且つ迅速に行うことができると共に、配線構造の簡素化を実現できる。
【００２８】
以下、本発明の第２実施形態に係る照明装置Ａ’を図２に基づいて説明する。尚、第１実施形態と重複する部位については、同符号を付すことにより説明を省略する。
【００２９】
照明装置Ａ’は、照明器具２に電力線搬送通信変換器４が内蔵されたものであり、電力線搬送通信変換器４が照明器具２内において接続コネクタ３０と照明器具２とにわたって接続された電源線２０に接続されている。
【００３０】
電源線２０には、電源線３に重畳されたＤＭＸ制御信号が重畳されており、照明器具２内において電源線２０に重畳されたＤＭＸ制御信号を電力線搬送通信変換器４が受信して、前述の調光電源回路に送信するようになっている。
【００３１】
このような、照明装置Ａ’によると、第１実施形態の照明装置Ａと同じ作用効果を奏すると共に、照明装置ＡのようなＤＭＸ制御信号ケーブル４０が不要であるので、配線構造をより簡素化することができる。
【符号の説明】
【００３２】
Ａ：照明装置
Ａ’： 照明装置
Ｂ：電力線
１：照明器具用懸架装置
２：照明器具
２０：電源線
３：電源線
４：電力線搬送通信変換器
【図１】
2014229411.tif 000003
【図２】
2014229411.tif 000004